(57)【要約】      （修正有）【課題】エンターテインメントや警告などの多様な機能を持ち、人工芝生の応用範囲を広げることのできる音発生人工芝生マットを提供する。【解決手段】音発生人工芝マットは、人造草糸１、基布層２、音発生層３及びオーバーロック構造４を含む。人造草糸は基布層上にタフティングされ、音発生層は基布層の底部に設置される。音発生層はオーバーロック構造により基布層と一体として接続され、オーバーロック構造はオーバーロック糸で構成されてかつ人工芝生マットの縁部にある。【選択図】図１
0003231679.tif 000002
【実用新案登録請求の範囲】
【請求項１】
音発生人工芝生マットであって、人造草糸１、基布層２、音発生層３及びオーバーロック構造４を含み、
前記人造草糸１は前記基布層２上にタフティングされ、
前記音発生層３は前記基布層２の底部に設置され、
前記音発生層３は前記オーバーロック構造４により前記基布層２と一体として接続され、
前記オーバーロック構造４はオーバーロック糸で構成されてかつ人工芝生マットの縁部にある
ことを特徴とする音発生人工芝生マット。
【請求項２】
前記音発生層３は、不織布層３１と、発音ホイッスル層３２とプラスチックドット付き不織布層３３とを含み、前記発音ホイッスル層３２は前記不織布層３１と前記プラスチックドット付き不織布層３３との間に位置し、かつ前記不織布層３１は、前記基布層２の下面に位置し、前記プラスチックドット付き不織布層３３は、床面と接触する最外層に位置する
ことを特徴とする請求項１に記載の音発生人工芝生マット。
【請求項３】
前記発音ホイッスル層３２は音発生ホイッスル本体３２１と空気格納バルーン３２２とを含み、前記空気格納バルーン３２２はオルガン形状、偏平円形、偏平立方体或いは偏平直方体である
ことを特徴とする請求項２に記載の音発生人工芝生マット。
【請求項４】
前記オーバーロック構造４はオーバーロック機により人工芝生マットの縁部に沿ってオーバーロックされてなり、かつ前記オーバーロック構造４は２本糸オーバーロック、３本糸オーバーロック、４本糸オーバーロック、５本糸オーバーロック中の一つである
ことを特徴とする請求項１に記載の音発生人工芝生マット。
【請求項５】
前記オーバーロック構造４の幅は０．５〜１．５ｃｍである
ことを特徴とする請求項１に記載の音発生人工芝生マット。
【請求項６】
前記オーバーロック構造４の幅は０．６〜１．０ｃｍである
ことを特徴とする請求項５に記載の音発生人工芝生マット。
【請求項７】
人工芝生マットの面積が１ｍ２より小さい場合、前記オーバーロック構造４の幅が０．６〜０．７ｃｍで、人工芝生マットの面積が１ｍ２より大きい場合、前記オーバーロック構造４の幅は０．７〜１ｃｍである
ことを特徴とする請求項６に記載の音発生人工芝生マット。
【請求項８】
前記人造草糸１は加熱熔融方式により前記基布層２上に固定されている
ことを特徴とする請求項１に記載の音発生人工芝生マット。
【請求項９】
さらに底背面層５を含み、前記底背面層５は前記基布層２と前記音発生層３との間にある
ことを特徴とする請求項１〜８の何れか一項に記載の音発生人工芝生マット。
【請求項１０】
前記底背面層５の材質はカルボキシル化スチレンブタジエンラテックス、ＰＵ、ＴＰＥゴム、ＴＰＲゴム、ＥＶＡゴム、ＰＥプラスチック、ＰＯＥゴム、プラスチックドット付き不織布層の中の一種である
ことを特徴とする請求項９に記載の音発生人工芝生マット。
【考案の詳細な説明】
【技術分野】
【０００１】
本考案は人工芝生の技術分野に関し、より具体的には、音発生人工芝生マットに関する。
【背景技術】
【０００２】
近年、人工芝生産業は急速に発展しており、人工芝生は使用コスト、メンテナンスや保守、耐久性、常緑などの面で優位性が顕著で、国内では、コミュニティの余暇活動の主な器材になると見込まれており、コミュニティの子供の遊び場では人工芝生は次第にプラスチックフロアーに取って代わることになり、海外ではレジャー用芝もだんだん人々の日常生活に浸透して日用消費財になっている。人工芝生のレジャー面での応用を加速させ、市場の急速な発展を求めるためには、新たな技術、新たなプロセスを開発し、前向きな研究開発配置を行う必要がある。
【０００３】
従来の通常の人工芝生の底背面はカルボキシル化スチレンブタジエンラテックスとポリウレタンラテックスであり、底背面が硬くて耐水性に劣るので、消費者は優先的にカーペットを選ぶ。芝生産業の発展を加速させるためには、差別化された製品を開発して市場における競争力を提供する必要がある。
【０００４】
従って、如何にして従来の人工芝生と違って、エンターテインメントや警告などの機能を持つ多機能な音発生人工芝生マットを提供できるかは、当業者にとって早急に解決したい問題となっている。
【考案の概要】
【考案が解決しようとする課題】
【０００５】
それに鑑みて、本考案はエンターテインメントや警告などの多様な機能を持ち、人工芝生の応用範囲を広げた音発生人工芝生マットを提供する。
【課題を解決するための手段】
【０００６】
上記目的を実現するために、本考案は以下のような技術案を採用する。
【０００７】
音発生人工芝生マットであって、人造草糸、基布層、音発生層及びオーバーロック構造を含み、前記人造草糸は前記基布層にタフティングされ、前記音発生層は前記基布層の底部に設置され、前記音発生層は前記オーバーロック構造により前記基布層と一体として接続され、前記オーバーロック構造はオーバーロック糸で構成されてかつ人工芝生マットの縁部にある。
【０００８】
好ましくは、上記音発生人工芝生マットにおいて、前記音発生層は、不織布層と、発音ホイッスル層とプラスチックドット付き不織布層とを含み、前記発音ホイッスル層は前記不織布層と前記プラスチックドット付き不織布層との間に位置し、かつ前記不織布層は、前記基布層の下面に位置し、前記プラスチックドット付き不織布層は、床面と接触する最外層に位置し、滑り止めの機能を果たす。
【０００９】
プラスチックドット付き不織布は、通常の不織布の上面にプラスチックドットを付けることにより、滑り止めの機能を果たす。
【００１０】
好ましくは、上記音発生人工芝生マットにおいて、前記音発生ホイッスル層は音発生ホイッスル本体と空気格納バルーンとを含み、前記空気格納バルーンはオルガン形状、偏平円形、偏平立方体或いは偏平直方体である。
【００１１】
音発生ホイッスル本体を空気格納バルーンの空気出口に取り付けることで、空気格納バルーン中の空気を出す或いは吸い込む時に、音発生ホイッスル本体で音を発生させ、空気格納バルーンが格納する空気量が多ければ多いほど、バルーンを押圧する際に発生する音が大きい。具体的な用途により適切なＢＢホイッスルを音発生ホイッスルとして選ぶことができる。
【００１２】
好ましくは、上記音発生人工芝生マットにおいて、前記オーバーロック構造はオーバーロック機により人工芝生マットの縁部に沿ってオーバーロックされてなり、かつ前記オーバーロック構造は２本糸オーバーロック、３本糸オーバーロック、４本糸オーバーロック、５本糸オーバーロック中の一つである。
【００１３】
好ましくは、上記音発生人工芝生マットにおいて、前記オーバーロック構造の幅は０．５〜１．５ｃｍである。
【００１４】
好ましくは、上記音発生人工芝生マットにおいて、前記オーバーロック構造の幅は０．６〜１．０ｃｍである。
【００１５】
好ましくは、上記音発生人工芝生マットにおいて、前記オーバーロックにおける上糸と下糸とは同じ仕様のテリレン糸であり、或いは上糸と下糸とは異なる種類や仕様のテリレン糸である。
【００１６】
好ましくは、上記音発生人工芝生マットにおいて、人工芝生マットの面積が１ｍ２より小さい場合、前記オーバーロック構造の幅は０．６〜０．７ｃｍで、人工芝生マットの面積が１ｍ２より大きい場合、前記オーバーロック構造の幅は０．７〜１ｃｍである。
【００１７】
好ましくは、上記音発生人工芝生マットにおいて、前記人造草糸は加熱熔融方式により前記基布層上に固定されている。
【００１８】
好ましくは、上記音発生人工芝生マットにおいて、さらに底背面層を含み、前記底背面層は前記基布層と前記音発生層との間にある。
【００１９】
好ましくは、上記音発生人工芝生マットにおいて、前記底背面層の材質はカルボキシル化スチレンブタジエンラテックス、ＰＵ、ＴＰＥゴム、ＴＰＲゴム、ＥＶＡゴム、ＰＥプラスチック、ＰＯＥゴム、プラスチックドット付き不織布層の中の一種であり、人造草糸をさらに固定する機能を果たす。
【００２０】
上記技術案より分かるように、従来技術と比べて、本考案は音発生人工芝生マットを提供することで、人工芝生により多くの機能性を付与し、芝生の応用可能な場面の範囲がより広くなる。具体的には、子どもが遊ぶ、這う、跳ぶ時に利用され、児童の注意を引き、多く運動するように子どもを誘導でき、警告用途として用いられ、庭のドアマットに用いられ、見知らぬ人が上に乗るとＢＢの鳴き声を発生させ、防犯の役割を果たし、高層住宅の半露天テラスに敷設され、子どもやペットが草マットを踏むと、音を発生させることができ、注意喚起の機能があり、工場の生産ライン周辺、道路の危険性の高い区間付近、川、深い湖付近で警告の機能を果たし、危険を示し、近づかないよう注意を促すために用いられ、同時に例えば露天音楽広場、バー、ダンスホールなど、ショッピングモールの「ネットで有名」なチェックイン場所など、極めて広いビジネス用途に対応でき、またストレス発散の場として使うことができる。
【図面の簡単な説明】
【００２１】
本考案の実施例又は従来技術における技術案をより明確に説明するため、以下では、実施例或いは従来技術の説明に必要とされる添付図面を簡単に説明する。下記説明における添付図面は本考案の実施例に過ぎないことは明らかであって、当業者にとって、創造的な労働を行わないことを前提に、提供された添付図面により他の添付図面を得ることもできる。
【図１】音発生人工芝生マットの側面図１である。
【図２】音発生人工芝生マットの側面図２である。
【図３】音発生人工芝生マットの平面図である。
【図４】音発生層の側面図である。
【図５】異なる形状の音発生ホイッスル層の構造模式図である。
【図６】異なる形状の音発生ホイッスル層の構造模式図である。
【図７】異なる形状の音発生ホイッスル層の構造模式図である。
【図８】異なる形状の音発生ホイッスル層の構造模式図である。
【考案を実施するための形態】
【００２２】
以下では、本考案の実施例における技術案を明確且つ完全に説明する。説明される実施例は本考案の全ての実施例ではなく、一部の実施例に過ぎないことは明らかである。本考案における実施例に基づいて、当業者が創造的な労働を行わないことを前提に得られた全ての他の実施例は、本考案の保護する範囲に属す。
【００２３】
実施例１
実施例１は音発生人工芝生マットであり、まずはダブルツイストの人造草糸１を基布層２上にタフティングして、半製品の芝生を作り、そして、タフティングが完了した半製品の芝生の底背面に一つのカルボキシル化スチレンブタジエンラテックス層を塗布して底背面層５として、カルボキシル化スチレンブタジエンラテックスの底背面下方を音発生層３として、最後に、芝生の周りの縁部をオーバーロックして、オーバーロック構造４は２本糸オーバーロックで、二種類のテリレンオーバーロック糸の仕様は何れも３０００Ｙである。
【００２４】
音発生層３は１２０ｇ／ｍ２の不織布層３１と１５０ｇ／ｍ２の片面プラスチックドット付き不織布層３３とを含み、音発生ホイッスル層３２は、音発生ＢＢホイッスルが不織布層３１と片面プラスチックドット付き不織布層３３との間に存在し、音発生ホイッスル本体３２１の周りをミシン糸で不織布層３１と片面プラスチックドット付き不織布層３３とを縫い合わせて、固定の機能を果たし、かつ音発生ＢＢホイッスルの空気格納バルーン３２２は、円の直径４５ｍｍ、高さ２０ｍｍの扁平円形である。
【００２５】
人造草糸１は偏平糸繊維、捲縮糸繊維とテート糸（ｔａｔｅ  ｙａｒｎ）の中の少なくとも一つを含み、かつ人造草糸１は異なる断面形状及び／又は異なる太さ及び／又は異なる色を有してもよく、オーバーロック糸はテリレンパイル糸としてもよい。
【００２６】
実施例２
実施例２は音発生人工芝生マットであり、まずはダブルツイストの人造草糸１を基布層２上にタフティングして、半製品の芝生を作り、そして、タフティングが完了した半製品の芝生の底背面に一つのＰＵラテックス層を塗布して底背面層５として、ＰＵラテックスの底背面下方を音発生層３として、最後に、芝生の周りの縁部をオーバーロックして、オーバーロック構造４は２本糸オーバーロックで、二種類のテリレンオーバーロック糸の仕様は何れも３０００Ｙである。
【００２７】
音発生層３は１２０ｇ／ｍ２の不織布層３１と１５０ｇ／ｍ２の片面プラスチックドット付き不織布層３３とを含み、音発生ホイッスル層３２は、音発生ＢＢホイッスルが不織布層３１と片面プラスチックドット付き不織布層３３との間に存在し、音発生ホイッスル本体３２１の周りをミシン糸で不織布層３１と片面プラスチックドット付き不織布層３３とを縫い合わせて、固定の機能を果たし、かつ音発生ＢＢホイッスルの空気格納バルーン３２２は、円の直径２５ｍｍ、高さ１４ｍｍの扁平円形である。
【００２８】
人造草糸１は偏平糸繊維、捲縮糸繊維とテート糸の中の少なくとも一つを含み、かつ人造草糸１は異なる断面形状及び／又は異なる太さ及び／又は異なる色を有してもよく、オーバーロック糸はテリレンパイル糸としてもよい。
【００２９】
実施例３
実施例３は音発生人工芝生マットであり、まずはダブルツイストの人造草糸１を基布層２上にタフティングして、半製品の芝生を作り、そして、タフティングが完了した半製品の芝生の底背面に一つのＰＥプラスチック層を塗布して底背面層５として、ＰＥプラスチック層の底背面下方を音発生層３として、最後に、芝生の周りの縁部をオーバーロックして、前記オーバーロック構造４は３本糸オーバーロックで、三種類のテリレンオーバーロック糸の仕様は何れも４０００Ｙである。
【００３０】
音発生層３は１２０ｇ／ｍ２の不織布層３１と１５０ｇ／ｍ２の片面プラスチックドット付き不織布層３３とを含み、音発生ホイッスル層３２は、音発生ＢＢホイッスルが不織布層３１と片面プラスチックドット付き不織布層３３との間に存在し、音発生ホイッスル本体３２１の周りをミシン糸で不織布層３１と片面プラスチックドット付き不織布層３３とを縫い合わせて、固定の機能を果たし、かつ音発生ＢＢホイッスルの空気格納バルーン３２２は、長さ２５ｍｍ、高さ３０ｍｍのオルガン形状である。
【００３１】
人造草糸１は偏平糸繊維、捲縮糸繊維とテート糸の中の少なくとも一つを含み、かつ人造草糸は異なる断面形状及び／又は異なる太さ及び／又は異なる色を有してもよく、オーバーロック糸はテリレンパイル糸としてもよい。
【００３２】
実施例４
実施例４は音発生人工芝生マットであり、まずはダブルツイストの人造草糸１を基布層２上にタフティングして、半製品の芝生を作り、草糸の根元を加熱熔融することで、草糸を固定するように機能させて、そして、芝生の周りの縁部をオーバーロックして、オーバーロック構造４は３本糸オーバーロックで、上糸と縫い糸のテリレンオーバーロック糸の仕様は５０００Ｙであり、下糸のテリレンオーバーロック糸の仕様は２０００Ｙである。
【００３３】
音発生層３は１２０ｇ／ｍ２の不織布層３１と１５０ｇ／ｍ２の片面プラスチックドット付き不織布層３３とを含み、音発生ホイッスル層３２は、音発生ＢＢホイッスルが不織布層３１と片面プラスチックドット付き不織布層３３との間に存在し、音発生ホイッスル本体３２１の周りをミシン糸で不織布層３１と片面プラスチックドット付き不織布層３３とを縫い合わせて、固定の機能を果たし、かつ音発生ＢＢホイッスルの空気格納バルーン３２２は、長さ３５ｍｍ、高さ３５ｍｍのオルガン形状である。
【００３４】
人造草糸１は偏平糸繊維、捲縮糸繊維とテート糸の中の少なくとも一つを含み、かつ人造草糸１は異なる断面形状及び／又は異なる太さ及び／又は異なる色を有してもよく、オーバーロック糸はテリレンパイル糸としてもよい。
【００３５】
実施例５
実施例５は音発生人工芝生マットであり、まずはダブルツイストの人造草糸１を基布層２上にタフティングして、半製品の芝生を作り、草糸の根元を加熱熔融することで、草糸を固定するように機能させて、そして、芝生の周りの縁部をオーバーロックして、オーバーロック構造４は３本糸オーバーロックで、上糸と縫い糸のテリレンオーバーロック糸の仕様は５０００Ｙであり、下糸のテリレンオーバーロック糸の仕様は２０００Ｙである。
【００３６】
音発生層３は１２０ｇ／ｍ２の不織布層３１と１５０ｇ／ｍ２の片面プラスチックドット付き不織布層３３とを含み、音発生ホイッスル層３２は、音発生ＢＢホイッスルが不織布層３１と片面プラスチックドット付き不織布層３３との間に存在し、音発生ホイッスル本体３２１の周りをミシン糸で不織布層３１と片面プラスチックドット付き不織布層３３とを縫い合わせて、固定の機能を果たし、かつ音発生ＢＢホイッスルの空気格納バルーン３２２は、長さ３５ｍｍ、高さ３５ｍｍのオルガン形状である。
【００３７】
人造草糸１は偏平糸繊維、捲縮糸繊維とテート糸の中の少なくとも一つを含み、かつ人造草糸１は異なる断面形状及び／又は異なる太さ及び／又は異なる色を有してもよく、オーバーロック糸はテリレンパイル糸としてもよい。
【００３８】
本明細書における各実施例は漸進的な方式で説明され、各実施例については他の実施例との相違点を重点的に説明され、各実施例間の同様や類似の部分については互いに参照するといい。実施例に開示される案については、それが実施例に開示される方法と対応するので、簡単に説明されており、関連する部分は、方法の部分の説明と参照するといい。
【００３９】
開示された実施例に対する上記説明によれば、当業者は本初英を実現或いは利用できるようになる。これらの実施例に対するさまざまな変更は当業者にとって明らかであり、本文で定義された一般的原理は、本考案の精神或いは範囲から逸脱することなく、他の実施例において実現できる。従って、本考案は、本文で示されたこれらの実施例に制限されることなく、本文で開示した原理と新規特徴に一致する最も広い範囲に合致する。
【符号の説明】
【００４０】
１  人造草糸
２  基布層
３  音発生層
３１  不織布層
３２  音発生ホイッスル層
３２１  音発生ホイッスル本体
３２２  空気格納バルーン
３３  プラスチックドット付き不織布層
４  オーバーロック構造
５  底背面層
【図１】
0003231679.tif 000003
【図２】
0003231679.tif 000004
【図３】
0003231679.tif 000005
【図４】
0003231679.tif 000006
【図５】
0003231679.tif 000007
【図６】
0003231679.tif 000008
【図７】
0003231679.tif 000009
【図８】
0003231679.tif 000010